(57)【要約】【課題】組成物の所望の香料特性を損なうことなく、ＶＯＣ含量を低減せずに又は低減して、香料を可溶化する及び／又は香料の蒸発を補助する成分を有する、空気清浄組成物を含む組成物が依然として必要とされている。【解決手段】香料の蒸発を補助するための機能性香料成分を有する香料組成物。機能性香料成分は、９００〜１４００の範囲のコヴァッツインデックス及び約１ｐｐｂ超のＯＤＴを有する。１つの実施形態では、機能性香料成分は、組成物の少なくとも約１０重量％の量で存在してもよい。別の実施形態では、機能性香料成分を含有する組成物は、ＶＯＣを実質的に含まない。【選択図】図１
2014051679.tif 000002
【特許請求の範囲】
【請求項１】
空気清浄用又は布地リフレッシュ用組成物であって、
界面活性剤、乳化剤、可溶化剤、ポリマー、シクロデキストリン、過酸化水素、緩衝剤、亜鉛イオン、及びこれらの混合物からなる群から選択される活性剤と、
イソノニルアセテート、並びに、ジヒドロミルセノール、リナロール、ゲラニオール、ｄ−リモネン、ベンジルアセテート、イソプロピルミストリステート、及びこれらの組み合わせからなる群から選択される第二の成分を含む機能性香料成分（ＦＰＣ）と、を含み、
前記ＦＰＣが前記組成物の２０〜９５重量％の量で存在し、
前記組成物が、２０℃で測定するとき０．２ｍｍＨｇ超の蒸気圧を有する揮発性有機化合物（ＶＯＣ）を含まない、組成物。
【請求項２】
前記ＦＰＣが、前記組成物の３０重量％〜９５重量％の量で存在する、請求項１に記載の組成物。
【請求項３】
前記ＦＰＣが、前記組成物の２５重量％超の量で存在する、請求項１に記載の組成物。
【請求項４】
前記組成物が、空気清浄用組成物である、請求項２に記載の組成物。
【請求項５】
戦記組成物が、布地リフレッシュ用組成物である、請求項２に記載の組成物。
【発明の詳細な説明】
【技術分野】
【０００１】
本発明は、組成物の所望の香料特性を損なうことなしに非機能性香料成分の蒸発を補助するための機能性香料成分を有する香料組成物に関する。
本出願は、特願２０１１−５２１３２３号の分割出願である。
【背景技術】
【０００２】
種々の香料組成物は、空気中の悪臭をマスキング、脱臭、及び／又は除去するために利用可能である。これらの組成物は、電気プラグインディフューザー、受動的ディフューザー、トリガースプレーディスペンサー、及びエアゾールディスペンサーを含む、空気清浄システムにより分配され得る。多くの場合、香料組成物を空気中へ適切に送達するには、蒸発又は分配助剤の使用が必要である。
【０００３】
プラグイン空気清浄剤は、例えば、香料蒸発助剤として２０％以上の揮発性有機化合物（「ＶＯＣ」）を含有する液体組成物を使用してもよい。本明細書で使用するとき「ＶＯＣ」とは、２０℃で測定するとき０．２ｍｍＨｇ超の蒸気圧を有し、かつ香料の蒸発を補助する揮発性有機化合物を意味する。例示的なＶＯＣとしては、以下の有機溶媒が挙げられる：ジプロピレングリコールメチルエーテル（「ＤＰＭ」）、３−メトキシ−３−メチル−１−ブタノール（「ＭＭＢ」）、揮発性シリコーン油、及びメチル、エチル、プロピル、ブチルのジプロピレングリコールエステル、エチレングリコールメチルエーテル、エチレングリコールエチルエーテル、ジエチレングリコールメチルエーテル、ジエチレングリコールエチルエーテル、又は商標名Ｄｏｗａｎｏｌ（商標）グリコールエーテルのＶＯＣのいずれか。
【０００４】
液体電気プラグイン空気清浄剤では、ＤＰＭ及びＭＭＢが一般的に用いられている。エアゾールディスペンサーでは、一般的に用いられている分配助剤又は噴射剤は、炭化水素であり、これはＶＯＣである。環境保護局及びカリフォルニア大気資源局（「ＣＡＲＢ」）は、現在、一部のＶＯＣを規制している。ＣＡＲＢ規制の分類により現在規制されているＶＯＣは、Ｃａｌｉｆｏｒｎｉａ  Ｃｏｎｓｕｍｅｒ  Ｐｒｏｄｕｃｔｓ  ＲｅｇｕｌａｔｉｏｎのＡｒｔｉｃｌｅ  ２，§９４５０８（ａ）（１４４）に見出すことができる。かかる規制及び環境保護に対する願望を鑑みて、ＶＯＣ含量を低減するアプローチが望ましい。
【０００５】
かかるエアゾール空気清浄剤中のＶＯＣ含量を低減するアプローチの１つは、単にＶＯＣ含量を減らすことである。しかし、ＶＯＣ含量の低減は、製品性能に悪影響を与える恐れがある。具体的には、液体電気プラグイン空気清浄剤では、ＶＯＣは、プラグイン装置から拡散するときに組成物の蒸発プロファイルを補助する溶液中に香料成分を保持するのに役立ち得る。したがって、ＶＯＣ量を低減すると、所望の香料特性の送達を損なわせる恐れがある。エアゾールディスペンサーにおける噴射剤含量を低減すると、耐用期間の最後にディスペンサー内に過剰の製品が残る恐れがある。それはまた、分配される製品の粒径を増加させ、過剰な表面沈着を導く恐れがある。
【０００６】
ＶＯＣ含量を低減する別のアプローチが、エアゾールディスペンサーに特有ではあるが、米国特許第７，０１４，１２７号（特許文献１）に概説されている。このアプローチは、特定の範囲の缶圧及び弁開口部寸法と組み合わせて、ブタンを含まない液化ガス噴射剤を最大２５％用いる。
【先行技術文献】
【特許文献】
【０００７】
【特許文献１】米国特許第７，０１４，１２７号
【特許文献２】米国特許第５，６６３，１３４号
【特許文献３】米国特許第５，６７０，４７５号
【特許文献４】米国特許第５，７８３，５４４号
【特許文献５】米国特許第５，９３９，０６０号
【特許文献６】米国特許第６，１４６，６２１号
【特許文献７】米国特許第５，５３４，１６５号
【特許文献８】米国特許第５，６６８，０９７号
【特許文献９】米国特許第５，７１４，３１７号
【特許文献１０】米国特許第６，６８２，６９４号
【特許文献１１】米国特許第５，１３９，６８７号
【発明の概要】
【発明が解決しようとする課題】
【０００８】
組成物の所望の香料特性を損なうことなく、ＶＯＣ含量を低減せずに又は低減して、香料を可溶化する及び／又は香料の蒸発を補助する成分を有する、空気清浄組成物を含む組成物が依然として必要とされている。
【課題を解決するための手段】
【０００９】
本発明は、活性剤、非機能性香料成分、及び組成物の約１０重量％超の機能性香料成分（「ＦＰＣ」）を有する組成物を目的とする。ＦＰＣは、約９００〜約１４００のコヴァッツインデックス、及び約１．０十億分率（「ｐｐｂ」）以上の臭気検出閾値（「ＯＤＴ」）を有してもよい。
【００１０】
本発明はまた、ＶＯＣを実質的に含まず、イソ−ノニルアセテート、ジヒドロミルセノール、リナロール、ｄ−リモネン、及びこれらの組み合わせからなる群から選択されるＦＰＣを組成物の約１０重量％超含む、空気清浄組成物を目的とする。
【００１１】
本発明は更に、非機能性香料成分と、組成物の約１０重量％超の９００〜１４００の範囲のコヴァッツインデックス及び約１．０ｐｐｂ以上のＯＤＴを有するＦＰＣとを有する組成物を提供する工程を含む香料の蒸発を調節する方法を目的とする。
【図面の簡単な説明】
【００１２】
【図１】空気清浄組成物で用いられている従来の有機溶媒と比較した、本発明に係る特定のＦＰＣの蒸発プロファイルを示す折れ線グラフ。
【図２】本発明に係るＦＰＣを含有する香料組成物（香料組成物Ａ）と、ＤＰＭ及び／又はＭＭＢを用いる同等の香料組成物（香料組成物Ｂ）の蒸発速度を示す折れ線グラフ。
【発明を実施するための形態】
【００１３】
本発明は、活性剤、非機能性香料成分、及びＦＰＣを有する組成物を目的とする。ＦＰＣは、約９００〜約１４００のコヴァッツインデックス及び約１．０ｐｐｂ超のＯＤＴを有してもよい。本発明は、香料の蒸発を補助することができるＶＯＣを有する成分又は物質の必要性をなくす又は低減する。本明細書で使用するとき「ＶＯＣ」とは、２０℃で測定するとき０．２ｍｍＨｇ超の蒸気圧を有し、かつ香料の蒸発を補助する揮発性有機化合物を意味する。
【００１４】
ＦＰＣ
本発明のＦＰＣは、空気清浄組成物で一般的に用いられている従来の有機溶媒又はＶＯＣに類似する蒸発特性を有する香料原材料の１種である。ＦＰＣは、香料原材料の蒸発を補助する。幾つかの実施形態では、ＦＰＣは、二次的な芳香効果を提供することもできる。かかる実施形態では、組成物の快楽効果を提供するために、ＦＰＣではない少なくとも１つの香料原材料が存在する。ＦＰＣは、組成物の香料特性に負の影響を与えることなしに比較的高濃度で用いることができる。
【００１５】
香料原材料は、個体が香料を嗅いだときに嗅覚反応を生じさせることが理解されている。常に知覚されて個体の嗅覚反応を生じさせる香料成分の最低濃度は、ＯＤＴとして知られている。香料の濃度が上昇するにつれて、香料の臭気強度及び個体の嗅覚反応も増加する。これは香料の濃度が最高に達するまで続き、その時点で臭気強度は、それ以上個体の嗅覚反応が生じない平坦域に達する。個体が常に臭気を知覚する香料濃度の範囲は、臭気検出範囲（「ＯＤＲ」）として知られている。高濃度の香料原材料を含む組成物はコストが高く非効率であるため、組成物中の香料原材料の濃度は、香料原材料のＯＤＴに又はＯＤＲの範囲内になるように配合されるべきである。
【００１６】
しかし、出願人らは、一部の状況では、ＯＤＴを超える、あるいはＯＤＲを超えるＦＰＣを用いることが望ましい可能性があることを見出した。具体的には、空気清浄組成物で従来用いられている濃度よりも高濃度のＦＰＣを使用すると、驚くべきことに、芳香のために含まれている非機能性香料成分又は香料成分の蒸発を補助する。更に、これらのＦＰＣの使用は、芳香又は快楽効果のために含まれている非機能性香料成分の香料特性に干渉しない。
【００１７】
香料原材料をＦＰＣとして好適なものにする香料特性は、以下の物理的化学的特性のいずれかを用いて規定することができる：引火点、蒸気圧、コヴァッツインデックス、沸点、分子量、蒸発熱、並びにこれら及び他の物理的化学的特性の組み合わせ。本出願で用いるために選択される香料原材料はまた、所定の香料特性の香気を留めておくためにＯＤＴ及び非極性香気特性を用いて規定することもできる。
【００１８】
好適なＦＰＣは、約１．０ｐｐｂ超、あるいは約５．０ｐｐｂ超、あるいは約１０．０ｐｐｂ超、あるいは約２０．０ｐｐｂ超、あるいは約３０．０ｐｐｂ超、あるいは約０．１百万分率（「ｐｐｍ」）のＯＤＴを有してもよい。
【００１９】
ＯＤＴは、炎イオン化検出器及び嗅ぎ口を備える市販のガスクロマトグラフ（「ＧＣ」）を用いて測定することができる。ＧＣを較正して、シリンジにより注入される正確な物質体積、正確なスプリット比、並びに既知の濃度及び鎖長分布の炭化水素標準物質を用いた炭化水素反応を決定する。空気の流量を正確に測定し、ヒトの吸入の持続時間が１２秒間であると仮定して、サンプル体積を計算する。任意の時点の検出器における正確な濃度は既知であるため、吸入された体積当たりの質量も既知であり、物質の濃度を計算することができる。物質が５０ｐｐｂ未満の閾値を有するかどうかを決定するために、逆算された濃度の溶液を嗅ぎ口に送達させる。官能試験員がＧＣ溶出物を嗅ぎ、臭気を感知したときの保持時間を同定する。全官能試験員の平均から感知能の閾値を決定する。
【００２０】
必要な量の分析物をカラムに注入し、検出器における濃度を５０ｐｐｂにする。臭気検出閾値を決定するための典型的なガスクロマトグラフパラメータを以下に列挙する。試験は、設備に関する指針に従って実施する。
【００２１】
設備：
ＧＣ：ＦＩＤ検出器を備える５８９０シリーズ（Ａｇｉｌｅｎｔ  Ｔｅｃｈｎｏｌｏｇｉｅｓ，Ｉｎｄ．，Ｐａｌｏ  Ａｌｔｏ，Ｃａｌｉｆｏｒｎｉａ，ＵＳＡ）
７６７３オートサンプラー（Ａｇｉｌｅｎｔ  Ｔｅｃｈｎｏｌｏｇｉｅｓ，Ｉｎｄ．，Ｐａｌｏ  Ａｌｔｏ，Ｃａｌｉｆｏｒｎｉａ，ＵＳＡ）
カラム：ＤＢ−１（Ａｇｉｌｅｎｔ  Ｔｅｃｈｎｏｌｏｇｉｅｓ，Ｉｎｄ．，Ｐａｌｏ  Ａｌｔｏ，Ｃａｌｉｆｏｒｎｉａ，ＵＳＡ）
長さ３０メートルのＩＤ  ０．２５ｍｍ膜厚１マイクロメートル（キャピラリーチューブの内壁上のポリマー層、分離させるための選択的分割を提供）
方法のパラメーター：
分割注入：スプリット比１７／１
オートサンプラー：注入１回当たり１．１３マイクロリットル
カラム流量：１．１０ｍＬ／分
空気流量：３４５ｍＬ／分
入り口温度２４５℃
検出器温度２８５℃
温度情報
初期温度：５０℃
速度：５℃／分
最終温度：２８０℃
最終時間：６分
主な仮定：（ｉ）一嗅ぎ当たり１２秒
【００２２】
（ｉｉ）ＧＣエアをサンプル希釈液に添加
好適なＦＰＣは、揮発性が高く、沸点が低い香料成分であってもよい。非限定的な、好適なＦＰＣとしては、イソ−ノニルアセテート、ジヒドロミルセノール（３−メチレン−７−メチルオクタン−７−オル）、リナロール（３−ヒドロキシ−３，７−ジメチル−１，６オクタジエン）、ゲラニオール（３，７ジメチル−２，６−オクタジエン−１−オル）、ｄ−リモネン（１−メチル−４−イソプロピペニル−１−シクロヘキサン）、ベンジルアセテート、イソプロピルミリストリステート、及びこれらの組み合わせが挙げられる。表１は、特定のＦＰＣの代表的な特性のおおよその報告値を列挙する。図１は、空気清浄組成物において一般的に用いられているＶＯＣに関する特定のＦＰＣの蒸発プロファイルを示す。
【００２３】
【表１】
2014051679.tif 000003
【００２４】
所望の香料特性を劣化させることなしに、１種のＦＰＣを単独で用いることもでき、又は他のＦＰＣと組み合わることもできると考えられている。組成物中の総ＦＰＣ含量は、組成物の約１０重量％超、あるいは約１５重量％超、あるいは約２０重量％超、あるいは約２５重量％超、あるいは約３０重量％超、あるいは約３５重量％超、あるいは約４０重量％超、あるいは約４５重量％超、あるいは約５０重量％超、あるいは約１０重量％〜約９５重量％、あるいは約１５重量％〜約９５重量％、あるいは約２０重量％〜約９５重量％、あるいは約２０重量％〜約９５重量％、あるいは約２５重量％〜約９５重量％、あるいは約３０重量％〜約９５重量％、あるいは約３５重量％〜約９５重量％、あるいは約４０重量％〜約９５重量％、あるいは約４５重量％〜約９５重量％、あるいは約５０重量％〜約９５重量％であってもよい。
【００２５】
列挙した濃度のＦＰＣを使用すると、皮膚保湿剤、身体の脱臭剤、顔及び身体用洗浄剤、乳幼児用拭き取り具等のパーソナルケア製品；硬質表面洗浄剤、木材研磨剤、及び自動車洗浄剤等の表面ケア組成物；洗浄剤、柔軟剤、しわ取り剤、及びリフレッシュ剤等の布地ケア組成物；エアゾール、電気プラグインディフューザー、受動的ディフューザー、連結型及び分離型圧電システム、吸上型システム、ゲルマトリクス等を含む空気清浄剤系等の空気ケア製品を含む種々のシステムで、所望の使用期間にわたって、一定の香料特性を提供するために香料組成物全体の蒸発プロファイルの調節を補助することができる。本発明を更に詳細に説明する目的のために、液体電気プラグイン空気清浄剤用のＦＰＣを含む組成物について記載する。「空気清浄組成物」又は「空気清浄剤」という用語は、本明細書で使用するとき、組成物中に悪臭中和香料原材料をマスキング、層化、又は包含することにより、空気中の臭気を低減する及び／又は空気中の臭気の痕跡を低減する任意の好適な組成物を指す。これは、本発明の多くの実施形態のうちの１つであり、特許請求の範囲に記載される本発明の全範囲を限定するものではない。
【００２６】
多くの種類の空気清浄組成物が可能である。非限定的な実施例としてプラグイン空気清浄剤用の液体組成物を使用すると、好適なＦＰＣは、約８００〜約１５００、あるいは約９００〜約１４００、あるいは約１０００〜約１３００の範囲のコヴァッツインデックスを有してもよい。これらの物質は、エーテル、アルコール、アルデヒド、アセテート、ケトン、又はこれらの混合物のいずれであってもよい。非限定的なＦＰＣの組み合わせ、又は２成分ＦＰＣ組成物としては、表２に列挙するものが挙げられる。
【００２７】
【表２】
2014051679.tif 000004
【００２８】
非機能性香料成分
本発明の組成物は、非機能性香料成分又は複数の非機能性香料成分を含み、これは芳香、香気、又は快楽効果のために用いられている従来の香料原材料である。非機能性香料成分は、ＦＰＣの特性を満たさない。好適な非機能性香料成分は、米国特許第５，６６３，１３４号（特許文献２）、同第５，６７０，４７５号（特許文献３）、同第５，７８３，５４４号（特許文献４）、同第５，９３９，０６０号（特許文献５）、及び同第６，１４６，６２１号（特許文献６）に開示されている。
【００２９】
活性剤
本発明はまた、活性剤を含んでもよく、活性剤とは、洗浄、表面ケア保護、布地のコンディショニング又は柔軟、布地リフレッシュ、しわ取り、空気清浄化、空気脱臭、悪臭除去、皮膚保湿、身体の脱臭、又は同様の効果をもたらす任意の剤である。活性剤は、水又は脱イオン水を含まない。
【００３０】
空気清浄化又は布地リフレッシュ組成物では、活性剤は真の悪臭除去効果をもたらし得る。真の悪臭除去効果は、感覚的にかつ分析的に（例えばＧＣにより）測定できる悪臭低下として定義される。したがって、空気清浄化組成物が真の悪臭除去効果をもたらす場合、空気清浄化組成物は、単に臭気を隠す又はマスキングするために香料を用いることにより機能する訳ではない。空気清浄化製品が悪臭中和剤とともに提供される場合、空気清浄化製品は、１種以上の幾つかの種類の臭気制御機構を用いてもよい。好適な悪臭制御剤の１つは、シクロデキストリンであり、これは米国特許第５，５３４，１６５号（特許文献７）、同第５，６６８，０９７号（特許文献８）、同第５，７１４，３１７号（特許文献９）、及び同第６，６８２，６９４号（特許文献１０）に開示されている。
【００３１】
活性剤はまた、界面活性剤、乳化剤、可溶化剤、ポリマー、シクロデキストリン、過酸化水素、緩衝剤、亜鉛イオン等の悪臭中和剤を含んでもよい。例えば、好適な布地コンディショニング／柔軟剤は、米国特許第５，１３９，６８７号（特許文献１１）に開示されている。
【００３２】
１つの実施形態では、組成物は、ＶＯＣを実質的に含まず、組成物の約１８重量％以下のＶＯＣを含む。別の実施形態では、組成物は、ＶＯＣを実質的に含まず、組成物の約６重量％以下のＶＯＣを含む。更に別の実施形態では、組成物は、ＶＯＣを実質的に含まず、組成物の約５重量％以下のＶＯＣを含む。更に別の実施形態では、組成物は、ＶＯＣを実質的に含まず、組成物の約１重量％以下のＶＯＣを含む。更に別の実施形態では、組成物は、ＶＯＣを実質的に含まず、組成物の約０．５重量％以下のＶＯＣを含む。更に別の実施形態では、組成物はＶＯＣを含まない。
【００３３】
表３は、液体電気プラグイン空気清浄剤で用いることができる代表的な香料組成物を示す目的で提供される。本発明に従って、組成物Ａ１、Ａ２、Ａ３、及びＡ４は、ＶＯＣを含まずＦＰＣを含む。
【００３４】
【表３】
2014051679.tif 000005
【００３５】
【表４】
2014051679.tif 000006
【００３６】
【表５】
2014051679.tif 000007
【００３７】
【表６】
2014051679.tif 000008
【実施例】
【００３８】
本発明に係る表４に示すような、ＦＰＣを含有する代表的な香料組成物、及びＤＰＭ及び／又はＭＭＢを用いる同等の香料組成物に対して、感覚測定及び蒸発速度測定を実施する。２つの香料組成物、香料組成物Ａ及び香料組成物Ｂを表４に従って作製し、それぞれ互いに同一である液体電気プラグインリフィル中に入れる。それぞれ互いに同一であるリフィルを液体電気プラグイン装置に挿入する。液体電気プラグイン装置及びそのリフィルを複数のコンセント枠のプラグに差し込む。電圧を測定し、記録する。６日目、総リフィル重量（香料、瓶、吸上、吸上封止具、止め輪を含む）を記録する。約２４時間後（７日目）、総リフィル重量を再度記録する。蒸発速度を以下の式に従って計算する：
【００３９】
【数１】
2014051679.tif 000009
【００４０】
１０００は、ミリグラムに換算するための係数である。
同様の計算を７、１４、２１、及び３０日目等の他の日についても実施できる。蒸発試験の結果を、図２に示す。
【００４１】
【表７】
2014051679.tif 000010
【００４２】
ＤＰＭ及び／又はＭＭＢを含有する香料組成物対ＦＰＣ代替物を含む香料組成物の直接感覚比較を、１日目及び２１日目に、訓練を受けた調香師及び官能試験員により実施する。感覚比較試験の結果を、表５に示す。
【００４３】
【表８】
2014051679.tif 000011
【００４４】
感覚試験及び蒸発速度測定の両方が、上記の代表的な組成物中に含有されているＦＰＣが香料の蒸発を補助するためにＤＰＭ及び／又はＭＭＢの代替として好適であることを示す。
【００４５】
種々の香料の香気の種類におけるＦＰＣ代替物の感覚的影響を調べるために、ＦＰＣによる香気を留める特性の完全性及び臭気提示効果を決定するための、単一代替物としてのＦＰＣ代替物及び２成分ＦＰＣ組成物を用いる、従来の香水で典型的に見られる重要な臭気の種類（すなわち、トップノートの種類−グリーンウォータリー系、ミドルノートの種類−フローラル系、及びベースノートの種類−グルメバニラ系）を表す香料組成物対ＤＰＭ及び／又はＭＭＢを用いる組成物において、液体電気プラグイン空気清浄剤における香気の留まりを更に感覚的に試験した。したがって、香料組成物は、（１）非機能性香料成分及び（２）ＦＰＣ；又は（１）非機能性香料成分及び（２）ＤＰＭ、若しくはＭＭＢ、若しくはＤＰＭとＭＭＢの両方を含む。ＤＰＭ及び／又はＭＭＢを含有する組成物対イソ−ノニルアセテート及び／又はジヒドロミルセノールを含有するＦＰＣ代替物を含む組成物の直接感覚比較を、訓練を受けた調香師及び官能試験員により実施する。驚くべきことに、表７に示すように、ＦＰＣ単一成分を含有する組成物の臭気提示は、ＤＰＭ及び／又はＭＭＢを含有する組成物に対して、室内への拡散、フレッシュさを増加させ、グリーン系フレッシュさ及びフルーティー系フレッシュさ等の芳香剤の新規要素を際立たせた。更に予想外なことに、芳香をもたらす２成分ＦＰＣ組成物の結果は、よりバランスのとれた芳香提示を更に高め、芳香のボディ及び豊かさを増加させ、最高のフレッシュさ及び／又はクリーンな臭気特性を示した。したがって、イソ−ノニルアセテート、ジヒドロミルセノール、リナロール、ｄ−リモネン、及びこれらの組み合わせは、香料の蒸発を補助するためのＤＰＭ及びＭＭＢ等のＶＯＣの代替として好適である。より驚くべきことに、これらのＦＰＣは、非機能性香料成分の特性を強化し、室内への充満を改善する。
【００４６】
【表９】
2014051679.tif 000012
【００４７】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示される寸法は、「約４０ｍｍ」を意味するものとする。
【００４８】
本明細書で引用される、相互参照付きの、又は関連する、特許及び出願を含むいずれの文献も、明白に排除されない限り、また別の方法で制限されない限り、本明細書にその全体が参照によって組み入れられる。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００４９】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図１】
2014051679.tif 000013
【図２】
2014051679.tif 000014
【外国語明細書】
2014051679000001.pdf